(57)【要約】【課題】人体及び環境に優しい組成物であると共に、機械的特性、経時安定性及び燃焼性に優れ、かつ製造性の良好なシングルベース発射薬を提供する。【解決手段】シングルベース発射薬は、成分（ａ）ニトロセルロース、成分（ｂ）アセチルクエン酸誘導体及び成分（ｃ）経時安定剤を含有する。成分（ｂ）アセチルクエン酸誘導体の含有量が成分（ａ）ニトロセルロース１００質量部に対して６.５〜９質量部に設定され、かつ成分（ｃ）経時安定剤の含有量が成分（ａ）ニトロセルロース１００質量部に対して１.５〜３.５質量部に設定される。成分（ｂ）アセチルクエン酸誘導体としては、アセチルクエン酸トリブチル又はアセチルクエン酸トリヘキシルが好ましい。成分（ｃ）経時安定剤としては、ジフェニルウレア誘導体が好ましく、具体的にはメチルジフェニルウレア又はジメチルジフェニルウレアが好ましい。【選択図】なし【特許請求の範囲】
【請求項１】
成分（ａ）ニトロセルロース、成分（ｂ）アセチルクエン酸誘導体及び成分（ｃ）経時安定剤を含有し、成分（ｂ）アセチルクエン酸誘導体の含有量が成分（ａ）ニトロセルロース１００質量部に対して６.５〜９質量部であり、かつ成分（ｃ）経時安定剤の含有量が成分（ａ）ニトロセルロース１００質量部に対して１.５〜３.５質量部であることを特徴とするシングルベース発射薬。
【請求項２】
前記成分（ｂ）アセチルクエン酸誘導体がアセチルクエン酸トリブチル又はアセチルクエン酸トリヘキシルであることを特徴とする請求項１に記載のシングルベース発射薬。
【請求項３】
前記成分（ｃ）経時安定剤がジフェニルウレア誘導体であることを特徴とする請求項１又は請求項２に記載のシングルベース発射薬。
【請求項４】
前記ジフェニルウレア誘導体がメチルジフェニルウレア又はジメチルジフェニルウレアであることを特徴とする請求項３に記載のシングルベース発射薬。
【発明の詳細な説明】
【技術分野】
【０００１】
本発明は、例えば大口径の戦車砲、野戦砲等に使用される弾薬に用いられるシングルベース発射薬に関する。さらに詳しくは、機械的特性、経時安定性及び燃焼性に優れ、製造性の良いシングルベース発射薬に関する。
【背景技術】
【０００２】
発射薬の分野において、ニトロセルロースを主成分とするシングルベース発射薬は大口径の戦車砲、野戦砲等の弾薬として広く使用されている。しかし、多くのシングルベース発射薬には、発ガン性や環境に対して悪影響を与えることが懸念されるジニトロトルエンが含まれていることから好ましい組成物とはいえない。なお、ジニトロトルエンは、ＰＲＴＲ〔Pollutant Release and Transfer Register（環境汚染物質排出・移動登録）〕法に規定された第一種指定化学物質に該当する物質である。そこで近年、このジニトロトルエンを使用しないシングルベース発射薬の開発が進められ、提案されている。
【０００３】
すなわち、ジニトロトルエン（ＤＮＴ）を含まないシングルベース発射薬に好適な可塑剤が開示されている（例えば、特許文献１を参照）。この可塑剤は、クエン酸化合物及びアジピン酸化合物から選ばれる化合物である。具体的には、シングルベース発射薬は、ニトロセルロース８８．０質量％、アセチルトリエチルクエン酸１０．０質量％、３−ジエチル−１，３−ジフェニルウレア（ＥＣ）１．０質量％及び硝酸カリウム１．０質量％を含有する（特許文献１の第１６頁の実施例５）。
【特許文献１】国際公開ＷＯ ９９／５９９３９号公報（第１頁、第１６頁及び第２０頁）
【発明の開示】
【発明が解決しようとする課題】
【０００４】
上記特許文献１に記載されたシングルベース発射薬は、ジニトロトルエンを使用していないため、人体及び環境に優しい組成物である。しかしながら、そのシングルベース発射薬には、可塑剤であるアセチルトリエチルクエン酸の含有量が１０質量％（ニトロセルロース１００質量部に対して１１．４質量部）という過剰量であることから、通常のシングルベース発射薬に比べて製造性、機械的特性、経時安定性又は燃焼性が低下し、特に製造性及び燃焼性が問題となることが明らかとなった。しかも、シングルベース発射薬には、経時安定剤である３−ジエチル−１，３−ジフェニルウレアの含有量が１．０質量％（ニトロセルロース１００質量部に対して１．１質量部）という少量であるため、シングルベース発射薬の経時安定性が十分に発揮されないという問題があった。
【０００５】
そこで、本発明の目的とするところは、人体及び環境に優しい組成物であると共に、機械的特性、経時安定性及び燃焼性に優れ、かつ製造性の良好なシングルベース発射薬を提供することにある。
【課題を解決するための手段】
【０００６】
本発明における第１の発明のシングルベース発射薬は、成分（ａ）ニトロセルロース、成分（ｂ）アセチルクエン酸誘導体及び成分（ｃ）経時安定剤を含有し、成分（ｂ）アセチルクエン酸誘導体の含有量が成分（ａ）ニトロセルロース１００質量部に対して６.５〜９質量部であり、かつ成分（ｃ）経時安定剤の含有量が成分（ａ）ニトロセルロース１００質量部に対して１.５〜３.５質量部であることを特徴とする。
【０００７】
第２の発明のシングルベース発射薬は、第１の発明において、前記成分（ｂ）アセチルクエン酸誘導体がアセチルクエン酸トリブチル又はアセチルクエン酸トリヘキシルであることを特徴とする。
【０００８】
第３の発明のシングルベース発射薬は、第１又は第２の発明において、前記成分（ｃ）経時安定剤がジフェニルウレア誘導体であることを特徴とする。
第４の発明のシングルベース発射薬は、第３の発明において、前記ジフェニルウレア誘導体がメチルジフェニルウレア又はジメチルジフェニルウレアであることを特徴とする。
【発明の効果】
【０００９】
本発明によれば、次のような効果を発揮することができる。
第１の発明のシングルベース発射薬においては、成分（ａ）ニトロセルロース、成分（ｂ）アセチルクエン酸誘導体及び成分（ｃ）経時安定剤を含有する。そして、成分（ｂ）アセチルクエン酸誘導体の含有量が成分（ａ）ニトロセルロース１００質量部に対して６.５〜９質量部に制限されている。このため、従来のような過剰量のアセチルクエン酸誘導体による弊害を防止することができ、シングルベース発射薬の機械的特性、経時安定性、燃焼性及び製造性を高めることができる。さらに、成分（ｃ）経時安定剤の含有量が成分（ａ）ニトロセルロース１００質量部に対して１.５〜３.５質量部に設定されている。そのため、経時安定剤に基づいてシングルベース発射薬の経時安定性を高めることができる。
【００１０】
従って、シングルベース発射薬は人体及び環境に優しい組成物であると共に、機械的特性、経時安定性及び燃焼性に優れ、かつ製造性を向上させることができる。
第２の発明のシングルベース発射薬では、成分（ｂ）アセチルクエン酸誘導体がアセチルクエン酸トリブチル又はアセチルクエン酸トリヘキシルである。このため、好適なアセチルクエン酸誘導体により第１の発明の効果を一層向上させることができる。
【００１１】
第３の発明のシングルベース発射薬では、成分（ｃ）経時安定剤がジフェニルウレア誘導体である。従って、第１又は第２の発明の効果に加えて、経時安定剤のうち好適なジフェニルウレア誘導体によりシングルベース発射薬の経時安定性をさらに高めることができる。
【００１２】
第４の発明のシングルベース発射薬では、ジフェニルウレア誘導体がメチルジフェニルウレア又はジメチルジフェニルウレアである。従って、第３の発明の効果に加えて、ジフェニルウレア誘導体のうち好適なメチルジフェニルウレア又はジメチルジフェニルウレアによりシングルベース発射薬の経時安定性を一層高めることができる。
【発明を実施するための最良の形態】
【００１３】
以下、本発明の最良の形態と思われる実施形態について詳細に説明する。
本実施形態のシングルベース発射薬は、成分（ａ）ニトロセルロース、成分（ｂ）アセチルクエン酸誘導体及び成分（ｃ）経時安定剤を含有する。そして、成分（ｂ）アセチルクエン酸誘導体の含有量が成分（ａ）ニトロセルロース１００質量部に対して６.５〜９質量部、かつ成分（ｃ）経時安定剤の含有量が成分（ａ）ニトロセルロース１００質量部に対して１.５〜３.５質量部に設定される。係るシングルベース発射薬はジニトロトルエンに基づいていないため人体及び環境に優しい組成物であって、機械的特性、経時安定性、燃焼性及び製造性に優れている。以下に、このシングルベース発射薬の構成について順に説明する。
〔成分（ａ）ニトロセルロース〕
係る成分（ａ）のニトロセルロ−ス（硝化綿）は、燃料兼成形物を粒状化（グレイン化）にするための結合剤（バインダー）として機能する成分である。該ニトロセルロ−スは、セルロ−スを硝酸と硫酸との混酸で処理して得られる硝酸エステルである。
【００１４】
ニトロセルロースを構成するグルコース１単位分子あたり３箇所で硝酸エステル化することが可能であるが、様々な程度に硝化されたものが得られ、その程度は窒素の含有量で区別される。このニトロセルロース中の窒素量は、１１.７〜１３.４質量％であることが好ましく、１２.２〜１３.４質量％であることがより好ましく、１２.９〜１３.２質量％であることが特に好ましい。この窒素量が、１１.７質量％未満の場合には、シングルベース発射薬の燃焼性が低下すると共に、ニトロセルロ−スが有機溶剤に溶解し過ぎて粒状に成形することが困難になる傾向にある。その一方、窒素量が１３.４質量％を超える場合には、シングルベース発射薬の経時安定性が低下すると同時に、ニトロセルロ−スが有機溶剤に溶解し難くなり、粒状に成形することが困難になる傾向を示す。
【００１５】
シングルベース発射薬中における成分（ａ）ニトロセルロースは主成分であり、その具体的な含有量は８８〜９３質量％であり、９０〜９１質量％であることが好ましい。ニトロセルロースの含有量が８８質量％を下回る場合、シングルベース発射薬の燃料としての機能が低下すると共に、シングルベース発射薬の成形物を成形することが難しくなる。一方、９３質量％を上回る場合、相対的に成分（ｂ）アセチルクエン酸誘導体や成分（ｃ）経時安定剤の含有量が低下し、シングルベース発射薬の機械的特性や経時安定性が悪化する。
〔成分（ｂ）アセチルクエン酸誘導体〕
成分（ｂ）のアセチルクエン酸誘導体は、シングルベース発射薬に含まれることにより、組成物が十分な可塑性を持つような可塑剤（膠化剤）としての機能を発現することができ、柔軟性のあるシングルベース発射薬を得ることができる。そのため、シングルベース発射薬は機械的特性が向上し、強い衝撃が与えられた場合でもその成形物の形状を維持することができる。
【００１６】
成分（ｂ）のアセチルクエン酸誘導体とは、結合剤成分である成分（ａ）のニトロセルロースを可塑化することが可能な化合物の全てを使用することができる。アセチルクエン酸誘導体として例えば、アセチルクエン酸トリメチル、アセチルクエン酸トリエチル、アセチルクエン酸トリプロピル、アセチルクエン酸トリブチル、アセチルクエン酸トリヘキシル、アセチルクエン酸トリヘプチル、アセチルクエン酸トリオクチル、アセチルクエン酸トリラウリル、アセチルクエン酸ジメチルモノブチル、アセチルクエン酸ジメチルモノヘキシル、アセチルクエン酸ジメチルモノオクチル、アセチルクエン酸ジメチルモノラウリル、アセチルクエン酸ジメチルモノヘキサデシル、アセチルクエン酸ジメチルモノオクタデシル、アセチルクエン酸ジエチルモノプロピル、アセチルクエン酸ジエチルモノブチル、アセチルクエン酸ジエチルモノヘキシル、アセチルクエン酸ジエチルモノオクチル、アセチルクエン酸ジエチルモノラウリル、アセチルクエン酸ジプロピルモノブチル、アセチルクエン酸モノメチルジエチル、アセチルクエン酸モノメチルモノエチルモノヘキシル、アセチルクエン酸モノメチルジブチル、アセチルクエン酸モノエチルモノブチルモノラウリル、アセチルクエン酸モノエチルジラウリル等が挙げられる。これらの化合物は、単独で又は２種以上の混合物として用いられる。
【００１７】
これらの化合物の中では、特にシングルベース発射薬の成形性、高温での安定性等の観点からアセチルクエン酸トリブチル、アセチルクエン酸トリヘキシル又はアセチルクエン酸トリヘプチルが好ましく、アセチルクエン酸トリブチル又はアセチルクエン酸トリヘキシルが特に好ましい。
【００１８】
アセチルクエン酸誘導体の含有量は、成分（ａ）ニトロセルロース１００質量部に対して６.５〜９質量部であり、好ましくは７.５〜８質量部である。アセチルクエン酸誘導体の含有量が６.５質量部未満の場合には、可塑剤としての効果が乏しくなるため、シングルベース発射薬の製造性が悪くなり、しかもシングルベース発射薬の機械的特性が不足する。その一方、アセチルクエン酸誘導体の含有量が９質量部を超える場合には、可塑剤としての効果は多大となるが、シングルベース発射薬の燃焼性が悪くなると共に、製造性にも問題が生じる。
〔成分（ｃ）経時安定剤〕
この成分（ｃ）経時安定剤は、シングルベース発射薬の経時安定性を高める機能を発現する。該経時安定剤として代表的なジフェニルウレア誘導体は、可塑剤としての機能をも発現することができる。
【００１９】
経時安定剤は、シングルベース発射薬の経時安定性を向上させることが可能な化合物の全てが使用できる。経時安定剤としては、例えばジフェニルウレア、メチルジフェニルウレア、エチルジフェニルウレア、ジエチルジフェニルウレア、ジメチルジフェニルウレア、メチルエチルジフェニルウレア等のジフェニルウレア誘導体、ジフェニルアミン、２−ニトロジフェニルアミン等のジフェニルアミン誘導体、エチルフェニルウレタン、メチルフェニルウレタン等のフェニルウレタン誘導体、ジフェニルウレタン等のジフェニルウレタン誘導体、レゾルシノール等が挙げられる。これらの化合物は、単独で又は２種以上の混合物として用いられる。
【００２０】
これらの化合物の中では、融点が１２０℃以上であるため高温時においてもニトロセルロ−スから発生する窒素酸化物を確実に捕捉し、ニトロセルロ−スの自然分解を抑制する効果の高いジフェニルウレア誘導体、具体的にはメチルジフェニルウレア、ジフェニルウレア又はジメチルジフェニルウレアが好ましく、メチルジフェニルウレア又はジメチルジフェニルウレアが特に好ましい。
【００２１】
経時安定剤の含有量は、成分（ａ）ニトロセルロース１００質量部に対して１.５〜３.５質量部であり、好ましくは２〜３質量部である。経時安定剤の含有量が１.５質量部未満の場合、シングルベース発射薬の経時安定性を高める効果が不足する。一方、３.５質量部を超える場合、シングルベース発射薬の経時安定性を高める効果は多大となるが、その反面シングルベース発射薬の燃焼性が悪化する。
〔その他の成分〕
シングルベース発射薬には、上記成分（ａ）ニトロセルロース、成分（ｂ）アセチルクエン酸誘導体及び成分（ｃ）経時安定剤のほかに成分（ｄ）光沢剤又は成分（ｅ）消炎剤を用いることもできる。成分（ｄ）光沢剤をシングルベース発射薬の表面にコーティングすることにより、光沢性を付与できると共に、例えば光沢剤としてのグラファイトは導電性を有しているためシングルベース発射薬の帯電を防止することができる。しかも、成形物の滑りが良くなるため、シングルベース発射薬の装填性を向上させることができると共に、吸湿を抑制することができる。この光沢剤としては、例えばグラファイト等が挙げられる。光沢剤の含有量は、成分（ａ）ニトロセルロース１００質量部に対して通常０.０３〜０.３５質量部である。
【００２２】
次に、成分（ｅ）消炎剤をシングルベース発射薬に配合すると、シングルベース発射薬が燃焼した際に発生する炎を抑制することができる。この消炎剤としては、例えば硝酸カリウム、硝酸バリウム、硫酸カリウム又はこれらの混合物等が挙げられる。消炎剤の含有量は、成分（ａ）ニトロセルロース１００質量部に対して通常０.５〜２.５質量部である。
〔シングルベース発射薬〕
シングルベース発射薬は、押出成形装置等の成形装置を使用して所望の形状に成形した成形物として用いられる。該成形物の形状としては無孔円柱状、単孔円柱状、多孔円柱状、多孔六角柱状等が挙げられる。これらのシングルベース発射薬の成形物は、例えばシングルベース発射薬に有機溶剤、好ましくはアセトンとエチルアルコールとの混合溶液又はジエチルエーテルとエチルアルコールとの混合溶液を添加混合し、押出成形装置で押出成形する方法により製造することができる。
【００２３】
得られるシングルベース発射薬又はその成形物は、大口径の戦車砲、野戦砲等に使用される弾薬に用いられるほか、火管のエネルギーをシングルベース発射薬又はその成形物に伝えるための着火薬としても用いられる。
〔実施形態により発揮される作用及び効果のまとめ〕
・  本実施形態におけるシングルベース発射薬は、成分（ａ）ニトロセルロース、成分（ｂ）アセチルクエン酸誘導体及び成分（ｃ）経時安定剤を含有する。そして、成分（ｂ）アセチルクエン酸誘導体の含有量は成分（ａ）ニトロセルロース１００質量部に対して６.５〜９質量部に制限されている。このため、従来のような過剰量のアセチルクエン酸誘導体による弊害を防止することができ、シングルベース発射薬の機械的特性、経時安定性、燃焼性及び製造性を高めることができる。さらに、成分（ｃ）経時安定剤の含有量は成分（ａ）ニトロセルロース１００質量部に対して１.５〜３.５質量部に設定されている。そのため、係る経時安定剤に基づいてシングルベース発射薬の経時安定性を高めることができる。
【００２４】
従って、シングルベース発射薬はジニトロトルエンが含まれていないため人体及び環境に優しい組成物であると共に、機械的特性、経時安定性及び燃焼性に優れ、かつ製造性が良好である。
【００２５】
・  前記成分（ｂ）アセチルクエン酸誘導体がアセチルクエン酸トリブチル又はアセチルクエン酸トリヘキシルであることにより、可塑剤として好適な化合物に基づいて前記シングルベース発射薬の効果を一層向上させることができる。
【００２６】
・  前記成分（ｃ）経時安定剤がジフェニルウレア誘導体であることにより、経時安定剤のうち好適なジフェニルウレア誘導体に基づいてシングルベース発射薬の経時安定性をさらに高めることができる。
【００２７】
・  上記ジフェニルウレア誘導体がメチルジフェニルウレア又はジメチルジフェニルウレアであることにより、ジフェニルウレア誘導体のうち好適なメチルジフェニルウレア又はジメチルジフェニルウレアに基づいてシングルベース発射薬の経時安定性を一層高めることができる。
【実施例】
【００２８】
以下、実施例及び比較例を挙げて前記実施形態をさらに具体的に説明するが、本発明はそれら実施例の範囲に限定されるものではない。実施例及び比較例におけるシングルベース発射薬の特性を評価する方法について以下に示す。
（機械的特性の評価方法）
まず、機械的特性を評価するための圧縮強度試験方法について説明する。圧縮強度試験は、ミネベア（株）製の引張圧縮試験機を用いて行った。試料としてシングルベース発射薬の成形物を試料台中央部に載せた後、長さ方向に３０ｍｍ／分の速度で圧縮して圧縮試験を行った。そして、応力ひずみ曲線より最大荷重値を読みとり、機械的特性の評価を行った。戦車砲、野戦砲等の射撃時には大きな衝撃がシングルベース発射薬の成形物に与えられる。そのため、シングルベース発射薬の成形物には、その衝撃に耐えられることが要求されており、今回試験に用いた形状においては圧縮強度が７０ＭＰａ以上であることが望ましい。
（燃焼性の評価方法）
続いて、燃焼性を評価するための密閉ボンブ燃焼試験について説明する。
【００２９】
図１に示すように、ボンブ本体１内には容積が７０ｍｌの円柱状をなす燃焼空間２が設けられ、その燃焼空間２にはシングルベース発射薬が成形されたシングルベース発射薬の成形物３が装填されている。ボンブ本体１の基端側（図１の左側）には燃焼空間２内にシングルベース発射薬の成形物３を装填後、密閉するための栓体４が装着され、ボルト５により着脱可能になっている。上記燃焼空間２の容積は、直径３５ｍｍ、深さ７５ｍｍの円柱体の容積から栓体４の一部等の容積を差し引いくことによって算出される。栓体４の内端面には一対の電極９、１０が取着され、両電極９、１０には接続線を介して点火玉（黒色火薬０.５ｇ付き）１１が取付けられている。
【００３０】
前記電極９は接続配線６を介して外部に位置する点火装置７の一方の電極に接続されると共に、電極９はボンブ本体１に接続されている。また、点火装置７の他方の電極は接続配線８を介してボンブ本体１に接続されている。そして、点火装置７を作動させることにより接続配線６、８、電極９、１０などを経て点火玉１１が点火し、燃焼空間２内のシングルベース発射薬の成形物３を着火させて燃焼させるようになっている。
【００３１】
ボンブ本体１の側部にはガス抜き用バルブ１２が取付けられ、サンプリング管１３を介して燃焼空間２に連通されている。このガス抜き用バルブ１２から燃焼空間２内のガスをサンプリングし、その燃焼特性を評価できるようになっている。ボンブ本体１の先端部には圧力変換器１４が取付けられ、連通管１５を介して燃焼空間２に連通されている。この圧力変換器１４により通電開始から最大圧力までの到達時間を求めることができるようになっている。
【００３２】
そして、栓体４を抜いた状態で燃焼空間２内にシングルベース発射薬の成形物３を装填する。その際に装填する薬量は、装填比重が０.１ｇ／ｍｌとなるように設定した。次いで、栓体４を閉めた後、点火装置７にて燃焼空間２内のシングルベース発射薬の成形物３を着火する。そして、燃焼した際の燃焼時間と燃焼圧力との関係を圧力変換器１４を介してオシロスコ−プ（図示せず）にて計測し、通電開始から最大圧力に到るまでの到達時間（燃焼完了時間）を求めた。シングルベース発射薬の成形物３は、適切な速度で燃焼を完了させる必要があり、今回試験に用いた形状においては、１８〜２６ｍｓ（ミリ秒）で燃焼を完了させることが望ましい。
（経時安定性の評価方法）
次に、経時安定性を評価するための耐熱試験について説明する。
【００３３】
サンプル瓶に、秤量したシングルベース発射薬の成形物を入れた後、サンプル瓶を７５℃に調温された恒温槽に入れて２４０時間放置した。その後、シングルベース発射薬の成形物を恒温槽より取り出し、耐熱試験（ＪＩＳ Ｋ ４８１０）を行ってシングルベース発射薬の経時安定性について確認した。シングルベース発射薬は、長期間保管した場合においても問題なく使用できなければならず、本試験条件においては１８分以上の試験結果となることが望ましい。
（製造性の評価方法）
次いで、製造性の評価方法について説明する。各実施例及び比較例のシングルベース発射薬を押出成形装置で押出成形する場合の成形しやすさ、及び裁断機まで運搬する際の取扱性に関し、下記の評価基準にて評価を行った。
【００３４】
○：押出装置より圧出された圧出薬を裁断するために取扱う際、圧出薬を容易に取扱うことができた、△：圧出薬の柔軟性が乏しく、注意しながら取扱いを行う必要があった、×：圧出薬の柔軟性がなく、また非常に脆いため取扱いに問題が生じた。
【００３５】
なお、表１及び表２中における略号は次の意味を表す。
ＮＣ：ニトロセルロース
ＡＴＢＣ：アセチルクエン酸トリブチル
ＡＴＥＣ：アセチルクエン酸トリエチル
ＡＴＨＣ：アセチルクエン酸トリヘキシル
ＤＩＢＡ：アジピン酸ジイソブチル
ＡＫII：メチルジフェニルウレア
ＳＥII：ジメチルジフェニルウレア
ＳＥＩ：ジエチルジフェニルウレア
Ｇ.Ｐ.：グラファイト
ＫＮ：硝酸カリウム
（実施例１）
窒素量１３.２質量％のニトロセルロース１００質量部、可塑剤としてアセチルクエン酸トリブチル７.７質量部、経時安定剤としてメチルジフェニルウレア２.２質量部の割合になるように混合した混合物に対し、ジエチルエーテル６０質量部及びエチルアルコ−ル４０質量部の混合溶液を加え、いわゆるウェルナ−混和機で均一に混合した。なお、ウェルナ−混和機は、横方向に延びる回転軸に取付けられた撹拌羽根により撹拌、混合する装置である。
【００３６】
次いで、この混合物を押出装置に装填した。押出装置には予め７.５ｍｍのダイス及び０.８ｍｍのピンが取り付けられており、シングルベース発射薬は圧力をかけることにより、このダイスを通りながら押出され、７個の貫通孔を有する７孔円柱状に成形された。この成形物を７．５ｍｍの長さに裁断し、乾燥することにより粒状のシングルベース発射薬の成形物を得た。その際の製造性について評価した。
【００３７】
また、このシングルベース発射薬の成形物を用い、前記圧縮強度試験及び密閉ボンブ燃焼試験による燃焼完了時間の測定を行った。さらに、耐熱試験による経時安定性についても測定を行った。それらの結果を表１に示した。
（実施例２〜１０）
表１に示した組成で、実施例１と同様の方法によりシングルベース発射薬を各々製造し、各々の特性を実施例１と同じ方法で評価した。それらの結果を表１にまとめて示した。
【００３８】
【表１】
2010076950.tif 000002
表１の試験結果より次のようなことがわかった。
【００３９】
実施例１〜１０に示したシングルベース発射薬は、いずれも製造性に問題のないことが明らかとなった。また、圧縮強度試験の結果、全てが７２ＭＰａ以上の圧縮強度を有しており機械的特性に問題のないことが確認された。さらに、通電開始から最大圧力までの燃焼完了時間も２０〜２４ｍｓであり、シングルベース発射薬として十分に使用できることが確認された。加えて、耐熱試験の結果をみても全てが２０分以上であり、経時安定性に優れるものであることが確認できた。
（比較例１〜６）
表２に示した組成で、実施例１と同様の方法によりシングルベース発射薬を各々製造し、各々の特性を実施例１と同じ方法で評価した。それらの結果を表２に示した。
【００４０】
【表２】
2010076950.tif 000003
表２に示したように、可塑剤としてアジピン酸ジイソブチル（ＤＩＢＡ）を使用した比較例１では、燃焼完了時間及び耐熱試験については問題ないものの、製造性に問題が生じ、かつ圧縮強度が不足する結果となった。すなわち、圧縮強度試験において６３ＭＰａの力が加わるとシングルベース発射薬の成形物が破壊されることがわかり、シングルベース発射薬として使用することが困難であることが明らかとなった。
【００４１】
また、可塑剤であるアセトルクエン酸トリブチル（ＡＴＢＣ）の含有量を過剰量にした比較例２では、圧縮強度及び耐熱試験については問題ないものの、ニトロセルロースの含有量が相対的に低下したため、製造性に問題が生じた。しかも、通電開始から最大圧力までの燃焼完了時間が３０ｍｓと遅くなり、燃焼性や着火性にも問題が生じることがわかった。アセチルクエン酸トリブチルの含有量を過少量にした比較例３では、燃焼完了時間及び耐熱試験については問題ないものの、可塑剤としての効果が乏しいため、製造性に問題が生じ、かつ圧縮強度も悪化することがわかった。
【００４２】
経時安定剤であるメチルジフェニルウレア（ＡＫII）の含有量を過少量にした比較例４では、製造性、機械的特性及び燃焼完了時間については問題ないものの、経時安定性としての効果が乏しいため、耐熱試験に問題が生じることがわかった。メチルジフェニルウレアの含有量を過剰量にした比較例５では、製造性、機械的特性及び経時安定性については問題ないものの、ニトロセルロースの含有量が相対的に低下したため、通電開始から最大圧力までの燃焼完了時間が２９ｍｓと遅くなり、燃焼性や着火性に問題が生じることがわかった。
【００４３】
加えて、前記特許文献１に記載のシングルベース発射薬（特許文献１に記載の実施例５）の組成に準じて製造した比較例６のシングルベース発射薬では、機械的特性については問題ないものの、アセチルクエン酸トリエチル（ＡＴＥＣ）の含有量が多く、その分ニトロセルロースの含有量が相対的に低下した。このため、製造性に問題が生じ、燃焼完了時間も若干遅くなるという結果を示した。その上、経時安定剤としてのジエチルジフェニルウレアの含有量が１.１質量部という少量であるため、経時安定性としての効果が乏しく、耐熱試験において１２分という短時間の結果となった。
【００４４】
なお、前記実施形態を次のように変更して実施することも可能である。
・  前記成分（ａ）ニトロセルロースとして、窒素量の異なるニトロセルロースを複数使用し、シングルベース発射薬の燃焼性、経時安定性又は製造性を調整するように構成することも可能である。
【００４５】
・  前記成分（ｂ）アセチルクエン酸誘導体以外のその他の可塑剤を、アセチルクエン酸誘導体と共に使用することもできる。
・  シングルベース発射薬には、その他の成分として燃焼圧力の急上昇を防ぐ燃焼抑制剤や砲身の寿命を延ばすための焼食抑制剤などを配合することができる。燃焼抑制剤としては樟脳、ジブチルフタレート等が挙げられ、焼食抑制剤としてはピログルタミン酸カルシウム、グルタミン酸ナトリウム等が挙げられる。
【００４６】
・  本発明のシングルベース発射薬をロケット等の推進薬として使用することも可能である。
さらに、前記実施形態より把握される技術的思想について以下に記載する。
【００４７】
〇  前記成分（ｂ）アセチルクエン酸誘導体は、複数種類の化合物が用いられることを特徴とする請求項１から請求項４のいずれか１項に記載のシングルベース発射薬。このように構成した場合、請求項１から請求項４のいずれかに係る発明の効果に加えて、可塑剤としての効果を目的に適うように調整することができる。
【００４８】
〇  前記成分（ｃ）ジフェニルウレア誘導体は、複数種類の化合物が用いられることを特徴とする請求項３又は請求項４に記載のシングルベース発射薬。このように構成した場合、請求項３又は請求項４に係る発明の効果に加え、経時安定性や可塑剤としての効果を目的に適うように調整することができる。
【００４９】
〇  光沢剤又は消炎剤を含有することを特徴とする請求項１から請求項４のいずれか１項に記載のシングルベース発射薬。このように構成した場合、請求項１から請求項４のいずれかに係る発明の効果に加えて、光沢剤により光沢性のほか帯電防止性、滑り性などを向上させることができ、消炎剤によりシングルベース発射薬の燃焼時における炎の発生を抑制することができる。
【図面の簡単な説明】
【００５０】
【図１】実施形態における燃焼性を評価するための密閉ボンブ燃焼装置を示す概略断面図。
【符号の説明】
【００５１】
３…シングルベース発射薬の成形物。
【図１】
2010076950.tif 000004